(57)【特許請求の範囲】
【請求項１】
光源部と、前記光源部を支持する支持部材と、保持部材と、前記支持部材を保持する器具本体とを備え、
前記光源部は、長尺の基板と、前記基板の表面に実装される固体光源とを有し、
前記支持部材は、前面で前記基板の裏面と接触する取付板を有し、
前記保持部材は、前記取付板との間で前記基板を保持するように構成され、
さらに、前記保持部材は、前記基板の表面に対向する第１支持部と、前記基板の裏面に対向する第２支持部と、前記取付板の前面に対向する第１固定部と、前記取付板に設けられている開口部を通して前記取付板の後面に対向する第２固定部とを有することを特徴とする照明器具。
【請求項２】
前記光源部に電力を供給する電源装置と、前記開口部に挿通されて前記電源装置と前記光源部を電気的に接続する第１電線とを備え、
前記保持部材は、前記第１電線を支持する第１電線支持部を有することを特徴とする請求項１記載の照明器具。  
【請求項３】
複数の前記光源部と、前記基板の表面側で複数の前記光源部同士を電気的に接続する第２電線とを備え、
前記保持部材は、前記第２電線を支持する第２電線支持部を有することを特徴とする請求項１又は２記載の照明器具。
【請求項４】
前記保持部材は、前記取付板の後面側において前記第１電線を支持する第３電線支持部を有することを特徴とする請求項２記載の照明器具。
【請求項５】
前記保持部材は、前記第１支持部と前記第２支持部との間の隙間に前記基板が差し込まれる際に、前記基板を前記隙間に案内する案内部を有することを特徴とする請求項１〜４のいずれか１項に記載の照明器具。
【発明の詳細な説明】
【技術分野】
【０００１】
本発明は、照明器具に関し、より詳細には、基板に固体光源が実装された光源部を備えている照明器具に関する。
【背景技術】
【０００２】
従来例として、特許文献１記載の照明器具がある。特許文献１記載の照明器具は、器具本体と、器具本体に取り付けられる光源ブロックとを備えている。光源ブロックは、３つの光源ユニット、取付板、２つの反射部材などを備えている。光源ユニットは、多数の発光ダイオードが表面に実装された基板、基板が取り付けられる取付部材、基板を覆うようにして取付部材に取り付けられるカバーなどを有している。
【０００３】
これら３つの光源ユニットのそれぞれの取付部材は、互いに一定の間隔を空けて取付板に取り付けられている。取付部材は、複数の切り起こし片を有している。これらの切り起こし片は、鈎形に形成されている。光源ユニットの基板は、これらの切り起こし片がそれぞれ挿通される複数の貫通孔を有している。複数の切り起こし片のそれぞれは、複数の貫通孔のうちの対応する貫通孔に挿通された後、発光ダイオードから遠ざかる向きに曲げられることにより、取付部材との間に基板を挟み込んで固定している。
【先行技術文献】
【特許文献】
【０００４】
【特許文献１】特開２０１５−１４１７６２号公報
【発明の概要】
【発明が解決しようとする課題】
【０００５】
ところで、照明器具の製造工程の簡素化に際して、取付部材に対する基板の取付作業の簡素化が望まれている。しかしながら、特許文献１記載の照明器具では、取付部材（支持部材）に基板（光源部）が取り付けられる作業（組立作業）の簡素化を図ることが困難であった。
【０００６】
本発明の目的は、組立作業の簡素化を図ることができる照明器具を提供することである。
【課題を解決するための手段】
【０００７】
本発明の一態様に係る照明器具は、光源部と、前記光源部を支持する支持部材と、保持部材と、前記支持部材を保持する器具本体とを備えている。前記光源部は、長尺の基板と、前記基板の表面に実装される固体光源とを有している。前記支持部材は、前面で前記基板の裏面と接触する取付板を有している。前記保持部材は、前記取付板との間で前記基板を保持するように構成されている。さらに、前記保持部材は、前記基板の表面に対向する第１支持部と、前記基板の裏面に対向する第２支持部と、前記取付板の前面に対向する第１固定部と、前記取付板に設けられている開口部を通して前記取付板の後面に対向する第２固定部とを有する。
【発明の効果】
【０００８】
本発明の照明器具は、組立作業の簡素化を図ることができるという効果がある。
【図面の簡単な説明】
【０００９】
【図１】図１は、本発明の一実施形態に係る照明器具の斜視図である。
【図２】図２は、同上の照明器具の分解斜視図である。
【図３】図３は、同上の照明器具の光源ブロックの斜視図である。
【図４】図４は、同上の光源ブロックの一部破断した正面図である。
【図５】図５は、同上の照明器具の光源ユニットの一部破断した断面図である。
【図６】図６Ａは、同上の照明器具の保持部材の正面図である。図６Ｂは、同上の照明器具の保持部材の平面図である。図６Ｃは、同上の照明器具の保持部材の左側面図である。
【図７】図７Ａは、同上の照明器具の保持部材の下面図である。図７Ｂは、同上の照明器具の保持部材の背面図である。
【図８】図８は、同上の照明器具の光源ブロックの一部省略した断面図である。
【図９】図９は、同上の照明器具の光源ブロックの一部省略した斜視図である。
【図１０】図１０は、同上の照明器具の光源ブロックの一部省略した斜視図である。
【図１１】図１１は、同上の照明器具の光源ブロックの一部省略した正面図である。
【図１２】図１２は、同上の照明器具の光源ブロックの一部省略した背面図である。
【図１３】図１３は、同上の照明器具の光源ブロックの一部省略した背面図である。
【発明を実施するための形態】
【００１０】
本発明の一実施形態に係る照明器具について、図面を参照して詳細に説明する。本実施形態の照明器具１０（以下、照明器具１０と略す）は、防湿・防雨性を有し、建物の外壁や軒下などへの設置に適した照明器具である。なお、以下の実施形態で説明する構成は本発明の一例にすぎない。本発明は、以下の実施形態に限定されず、本発明の効果を奏することができれば、設計等に応じて種々の変更が可能である。
【００１１】
照明器具１０は、図１及び図２に示すように、光源ユニット１と器具本体６とを備える。器具本体６は、天井や壁などの造営材の表面（例えば、壁面）に、例えば、長手方向を鉛直方向（上下方向）に一致させて取り付けられる。光源ユニット１は、造営材の表面に取り付けられた器具本体６に支持される。なお、以下の説明では、特に断りのない限り、図１において上下、前後、左右の各方向を規定する。すなわち、照明器具１０及び光源ユニット１の長手方向を上下方向とし、造営材の表面の法線方向を照明器具１０及び光源ユニット１の前後方向とし、造営材の表面と平行な照明器具１０及び光源ユニット１の短手方向を左右方向とする。
【００１２】
器具本体６は、図２に示すように、長尺の矩形平板状に形成された底板６０と、底板６０の長手方向（上下方向）に沿って、底板６０の厚み方向（前向き）に立ち上がる一対の側板６１と、一対の固定板６２とを有する。底板６０と一対の側板６１は、例えば、ステンレス鋼板などの金属板が曲げ加工されることで一体に形成されることが好ましい。すなわち、一対の側板６１はそれぞれ、底板６０の強度を向上する役割を果たしている。一対の固定板６２はそれぞれ、ステンレス鋼板などの金属板により、上下方向から見て、Ｗ字状に形成されている。そして、一方の固定板６２は、底板６０の長手方向の一端（上端）にねじ止めされ、他方の固定板６２は、底板６０の長手方向の他端（下端）にねじ止めされている（図２参照）。底板６０の中央には、電源線が挿通される挿通孔６００が設けられている（図２参照）。また、底板６０の長手方向の両端近くには、長手方向を長軸方向とする長円形状のボルト挿通孔６０１がそれぞれ２つずつ設けられている。
【００１３】
光源ユニット１は、図２〜図５に示すように、光源ブロック２、第２カバー３、電源装置４、一対の取付具５などを有している。また、光源ブロック２は、図３及び図４に示すように、光源部に相当する４つのＬＥＤモジュール２０、第１カバー２１、支持部材２２、一対の固定具２３、複数（図示例では８つ）の保持部材２４、２つの拡散板２５などを有している。４つのＬＥＤモジュール２０はそれぞれ、長尺の矩形平板状に形成された基板２０１と、基板２０１の前面に実装される複数個（図示例では１０個）の固体光源（発光ダイオード２００）と、一対の入力コネクタ２０２とを有している。発光ダイオード（ＬＥＤ）２００は、例えば、白色光を放射する白色発光ダイオードであり、基板２０１の短手方向（左右方向）の中央において、長手方向（上下方向）に沿って等間隔に一列に並べて実装されている（図４参照）。また、一対の入力コネクタ２０２はそれぞれ、基板２０１の表面における長手方向の両端近傍に実装されている。４つのＬＥＤモジュール２０はそれぞれ、図４に示すように、長手方向に沿って直線状に並ぶように配置される。そして、４つのＬＥＤモジュール２０のそれぞれにおいて、互いに隣り合う側の端部に実装されている入力コネクタ２０２同士が第２電線２０３で電気的に接続されている。また、上端のＬＥＤモジュール２０において上側の端部に実装されている入力コネクタ２０２（２０２Ａ）は、第１電線２０４を介して電源装置４（の出力端子）と電気的に接続されている（図４及び図５参照）。同じく、下端のＬＥＤモジュール２０において下側の端部に実装されている入力コネクタ２０２（２０２Ａ）は、第１電線２０４を介して電源装置４（の出力端子）と電気的に接続されている（図４及び図５参照）。
【００１４】
支持部材２２は、取付板２２０と、一対の側板２２１とを有している。なお、取付板２２０と一対の側板２２１は、ステンレス鋼板などの金属板によって一体に形成されていることが好ましい。取付板２２０は、図４に示すように、長尺の矩形平板状に形成されている。一対の側板２２１はそれぞれ、長尺の矩形平板状に形成され、取付板２２０の長手方向に沿った左右両側の端から斜め後方へ突出している（図３及び図４参照）。なお、これら一対の側板２２１はそれぞれ、後方に向かって互いの距離を離すように構成されている。つまり、支持部材２２は、上下方向から見て、おおよそ台形状に形成されている（図３参照）。ここで、４つのＬＥＤモジュール２０はそれぞれ、８つの保持部材２４のうちの対応する２つの保持部材２４によって、取付板２２０の前面に取り付けられている。ただし、取付板２２０に対するＬＥＤモジュール２０の取付構造については後述する。
【００１５】
支持部材２２の後面の上端に、１つの固定具２３が取り付けられている。また、支持部材２２の後面の下端に、残り１つの固定具２３が取り付けられている。なお、これら一対の固定具２３はそれぞれ、一対の側板２２１のそれぞれにねじ止めされることで支持部材２２に取り付けられている。
【００１６】
電源装置４は、電源基板と、電源基板を収納する収納ケース４０とを有する（図５参照）。電源基板は、上下方向に長い矩形板状に形成されたプリント配線板からなり、このプリント配線板には、少なくともＬＥＤモジュール２０の点灯電力を生成するために必要な回路部品（例えば、トランスやダイオード、コンデンサなど）が実装されている。収納ケース４０は、金属板によって矩形箱状に形成されている。また、収納ケース４０は、例えば、ねじなどを用いて支持部材２２の取付板２２０の背面（後面）に取り付けられることが好ましい（図５参照）。ここで、収納ケース４０の上側に入力端子（電源端子）が配置され、収納ケース４０の下側に出力端子が配置されている。そして、電源端子に電源線が電気的に接続されている。また、出力端子に第１電線２０４が電気的に接続されている（図５参照）。
【００１７】
第１カバー２１は、図３に示すように、第１カバー本体２１０と、一対の固定片２１１とを有している。第１カバー本体２１０と一対の固定片２１１は、ポリカーボネート樹脂やアクリル樹脂などの透光性を有する合成樹脂材料で一体に形成されている。ただし、第１カバー２１を形成している合成樹脂材料は、例えば、アクリル樹脂やシリコーン樹脂の微粒子を原料とする拡散材が混入されている。第１カバー本体２１０は、おおよそ半楕円筒形状に形成されている。一対の固定片２１１はそれぞれ、矩形の平板状に形成され、第１カバー本体２１０の長手方向に沿った両端（左右両端）から斜め後方へ突出している。第１カバー２１は、後述するように一対の拡散板２５によって支持部材２２（の取付板２２０）に取り付けられている（図３参照）。支持部材２２に取り付けられた第１カバー２１（の第１カバー本体２１０）は、支持部材２２の取付板２２０と、一対の側板２２１の前端部分（取付板２２０と側板２２１との境界＜側稜＞の部分）とを前方から覆っている。つまり、ＬＥＤモジュール２０のＬＥＤ２００から放射される光は、第１カバー２１を透過する際に拡散される。ここで、第１カバー本体２１０は、短手方向（左右方向）の中央部の光透過率を、中央部を除く周辺部の光透過率よりも低くするように構成されていることが好ましい。第１カバー２１が上述のように構成されれば、中央部を透過する際に拡散されずに直進する光（光束）を減少させて眩しさ感（不快なグレア）の低減を図ることができる。
【００１８】
２つの拡散板２５はそれぞれ、矩形板状の拡散部２５０と、取付板２２０を厚み方向（前後方向）から挟み込む第１挟み部２５１と、第１カバー本体２１０を厚み方向（前後方向）から挟み込む第２挟み部２５２とを有している（図２〜図５参照）。なお、拡散部２５０、第１挟み部２５１及び第２挟み部２５２は、第１カバー本体２１０を形成する材料（例えば、ポリカーボネート樹脂など）からなる合成樹脂成形体として一体に形成されていることが好ましい。つまり、２つの拡散板２５はそれぞれ、第１挟み部２５１及び第２挟み部２５２により、取付板２２０及び第１カバー本体２１０の長手方向の端（上端及び下端）に取り付けられている。そして、２つの拡散部２５０はそれぞれ、第１カバー本体２１０の開放端（長手方向の両端）から出射される光（ＬＥＤモジュール２０から放射される光）を拡散するように構成されている。
【００１９】
第２カバー３は、図２に示すように、第２カバー本体３０と、２つのカバーエンド３１と、２つの防水パッキン３２とを有している。第２カバー本体３０は、例えば、ポリカーボネート樹脂やアクリル樹脂などの透光性を有する合成樹脂材料の押出成形により、おおよそ角筒状に形成されている。すなわち、第２カバー本体３０は、矩形平板状の前壁３００と、前壁３００の左右両側にそれぞれ配設される一対の側壁３０１と、一対の側壁３０１と繋がり、前壁３００と対向する後壁３０２とを有する。一対の側壁３０１は、後方に向かって互いの間隔を広くするように傾斜している（図２参照）。また、後壁３０２には、内向き（前向き）に凹んだ凹所３０３が形成されている。後壁３０２において、凹所３０３の底に相当する部位（以下、底部３０４ともいう）は、前壁３００とほぼ平行となっている。また、後壁３０２において、凹所３０３の両側の壁に相当する部位（以下、側壁部３０５ともいう）は、後方に向かって互いの間隔を広くするように傾斜している。
【００２０】
２つのカバーエンド３１は、図２に示すように、おおよそ台形状の底壁３１０と、底壁３１０の裏面に設けられる外周壁３１１及び内周壁とを有する。外周壁３１１及び内周壁は、第２カバー本体３０の長手方向に直交する断面の形状に相似した形状に形成されている。また、外周壁３１１は、底壁３１０の裏面の周縁から突出する筒状に形成されている。内周壁は、外周壁３１１の内側において、外周壁３１１との間に隙間を空けて底壁３１０の裏面から突出する筒状に形成されている。なお、外周壁３１１と内周壁との隙間には、防水パッキン３２とともに、第２カバー本体３０の長手方向の端部が嵌め込まれる。なお、カバーエンド３１は、第２カバー本体３０と同じ透光性材料（例えば、ポリカーボネート樹脂やアクリル樹脂などの透光性を有する合成樹脂材料）で形成されることが好ましい。
【００２１】
防水パッキン３２は、シリコーン樹脂などの弾性を有する材料により、カバーエンド３１の外周壁３１１及び内周壁に相似した筒状に形成されている。また、防水パッキン３２の片方の端部には、カバーエンド３１の内周壁の先端が全周に渡って嵌まり込む溝が形成されている。
【００２２】
一対の取付具５はそれぞれ、図２に示すように、ステンレス鋼板などの金属板が加工されることで角樋状に形成されている。取付具５は、左右方向にそれぞれ突出する一対の爪５０を有している。一対の取付具５はそれぞれ、第２カバー本体３０の底部３０４の長手方向の両端において、底部３０４を挟んで、２つの固定具２３のうちの対応する１つの固定具２３にねじ止めされている。一対の取付具５はそれぞれ、一対の固定板６２のうちの対応する固定板６２に設けられている一対の引掛溝に一対の爪５０をそれぞれ挿通し、各引掛溝の縁にそれぞれの爪５０を引っ掛けることで固定板６２に固定されている。
【００２３】
次に、保持部材２４を用いてＬＥＤモジュール２０を取付板２２０に取り付け、かつ、保持する構造を詳細に説明する。
【００２４】
保持部材２４は、図６Ａ〜図６Ｃに示すように、一対の第１支持部２４０、第２支持部２４１、一対の第１固定部２４２、一対の第２固定部２４３を備えている。さらに、保持部材２４は、一対の第１電線支持部２４４、一対の第２電線支持部２４５、一対の第３電線支持部２４６、一対の案内部２４７並びに一対の引掛部２４８などを備えていることが好ましい。ただし、以下の説明では、特に断りのない限り、図６Ａにおいて、保持部材２４の上下、左右及び前後の各方向を規定する。
【００２５】
第２支持部２４１は、前後方向から見て矩形板状に形成されている。第２支持部２４１は、前面の上端から前方に向かって下向きに傾斜する第１傾斜面２４１０と、前面の下端から前方に向かって上向きに傾斜する第２傾斜面２４１１と、第１傾斜面２４１０の下端と第２傾斜面２４１１の上端を繋ぐ平坦面２４１２とを有している。
【００２６】
一対の第１支持部２４０はそれぞれ、前方から見てＣ字状に形成され、第２支持部２４１の左端と右端に１つずつ連結されている。ただし、一対の第１支持部２４０は、互いに鏡像の関係にある（図６Ａ参照）。ここで、一対の第１支持部２４０のそれぞれの後面２４００は、第２支持部２４１の平坦面２４１２よりも前方に位置している（図６Ｂ及び図７Ａ参照）。そして、一対の第１支持部２４０のそれぞれの後面２４００と、第２支持部２４１の前面（平坦面２４１２）との間に形成される隙間Ｓ１に、ＬＥＤモジュール２０の基板２０１が差し込まれる。基板２０１が差し込まれた状態では、一対の第１支持部２４０のそれぞれの後面２４００が基板２０１の前面に対向し、第２支持部２４１の平坦面２４１２が基板２０１の後面に対向している（図８参照）。さらに、一対の第１支持部２４０のそれぞれの後面２４００と第２支持部２４１の平坦面２４１２のうちのいずれか一方は、基板２０１（の前面又は後面）に接している。つまり、基板２０１（ＬＥＤモジュール２０）は、基板２０１の厚み方向に沿って一対の第１支持部２４０と第２支持部２４１に支持されている。
【００２７】
一対の第１固定部２４２はそれぞれ、前方から見てＣ字状に形成されている。左側の第１固定部２４２は、左側の第１支持部２４０に連結されている。また、右側の第１固定部２４２は、右側の第１支持部２４０に連結されている。ただし、一対の第１固定部２４２は、互いに鏡像の関係にある（図６Ａ参照）。一対の第２固定部２４３のうちの一方の第２固定部２４３は、左側の第１固定部２４２の後面から左向きに突出している。また、一対の第２固定部２４３のうちの他方の第２固定部２４３は、右側の第１固定部２４２の後面から右向きに突出している（図６Ａ〜図６Ｃ及び図７Ａ、図７Ｂ参照）。ただし、一対の第２固定部２４３は、互いに鏡像の関係にある（図６Ｂ参照）。ここで、一対の第１固定部２４２のそれぞれの後面２４２０は、一対の第２固定部２４３のそれぞれの前面２４３０よりも前方に位置している（図６Ｂ及び図７Ａ参照）。そして、一対の第１固定部２４２のそれぞれの後面２４２０と、一対の第２固定部２４３のそれぞれの前面２４３０との間に形成される隙間Ｓ２に、支持部材２２の取付板２２０が挟み込まれる（図８参照）。取付板２２０が差し込まれた状態では、一対の第１固定部２４２のそれぞれの後面２４２０が取付板２２０の前面に対向し、一対の第２固定部２４３のそれぞれの前面２４３０が取付板２２０の後面に対向している（図９及び図１０参照）。さらに、一対の第１固定部２４２のそれぞれの後面２４２０と一対の第２固定部２４３のそれぞれの前面２４３０のうちのいずれか一方は、取付板２２０（の前面又は後面）に接している。つまり、支持部材２２は、一対の第１固定部２４２及び一対の第２固定部２４３で取付板２２０を厚み方向に挟み込むようにして取付板２２０に取り付けられ、かつ、支持されている。
【００２８】
一対の第１電線支持部２４４はそれぞれ、第１支持部２４０と第１固定部２４２の間に設けられている溝２４４０と、第１固定部２４２から溝２４４０に向かって突出する突部２４４１とで構成されている（図６Ａ参照）。溝２４４０は、支持部材２２を前後方向に貫通するようにＵ字形状に形成されている（図６Ａ参照）。突部２４４１は、前面及び後面の形状を台形とする角柱状に形成されている。また、突部２４４１は、溝２４４０の上端及び溝２４４０の第１支持部２４０側の側面との間に距離を置くように配置されている（図６Ａ及び図７Ｂ参照）。つまり、一対の第１電線支持部２４４はそれぞれ、突部２４４１と溝２４４０によって上下方向及び左右方向から囲まれている空間（孔）に挿通される電線（第１電線２０４）を支持している（図１３参照）。
【００２９】
一対の第２電線支持部２４５はそれぞれ、対応する第１支持部２４０の下側の側面から左右方向に突出する突起の後面に設けられている凹部からなる（図７Ａ参照）。一対の第２電線支持部２４５はそれぞれ、第２電線２０３を基板２０１（の前面）との間に挟んで支持している（図８〜図１０参照）。
【００３０】
一対の第３電線支持部２４６はそれぞれ、一対の第２固定部２４３のうちの対応する第２固定部２４３の前面に設けられている凹所からなる（図６Ａ、図６Ｂ及び図７Ａ参照）。一対の第３電線支持部２４６はそれぞれ、取付板２２０の後面側に配置されている第１電線２０４を、取付板２２０の後面との間に挟んで支持している（図１２参照）。
【００３１】
一対の案内部２４７はそれぞれ、第１支持部２４０の下側の後面に設けられている傾斜面からなる。これらの傾斜面（案内部２４７）は、上から下（図８においては左から右）に向かって前方（図８では下方）に傾くように形成されている（図６Ｂ、図７Ｂ及び図８参照）。つまり、基板２０１は、案内部２４７の表面を滑りながら保持部材２４の隙間Ｓ１に差し込まれる。
【００３２】
一対の引掛部２４８はそれぞれ、三角柱状に形成されている。一方の引掛部２４８は、左側の第１支持部２４０の上側の後面から後方に突出している。また、他方の引掛部２４８は、右側の第１支持部２４０の上側の後面から後方に突出している。ただし、一対の引掛部２４８のそれぞれは、下から上に向かって徐々に後方へ突出するように形成されている（図７Ｂ及び図６Ｃ参照）。
【００３３】
ここで、取付板２２０は、８つの支持部材２２と１対１に対応する８つの開口部２２３を有している（図４参照）。８つの開口部２２３はそれぞれ、取付板２２０を前後方向に貫通する３つの開口（第１開口２２３０、第２開口２２３１、第３開口２２３２）で構成されている（図１０参照）。第１開口２２３０は、３つの開口のうちで長手方向（左右方向）の幅が最も広い長尺の矩形状に形成されている。第２開口２２３１は、３つの開口のうちで長手方向の幅が２番目に広い長尺の矩形状に形成されている。また、第２開口２２３１の長手方向に沿った２つの端のうちの一方の端と、第１開口２２３０の長手方向に沿った２つの端のうちの一方の端とが繋がっている。第３開口２２３２は、３つの開口のうちで長手方向の幅が最も狭い長尺の矩形状に形成されている。また、第３開口２２３２の長手方向に沿った２つの端のうちの一方の端と、第２開口２２３１の長手方向に沿った２つの端のうちの他方の端とが繋がっている。なお、第１開口２２３０の長手方向の幅寸法は、保持部材２４の左右方向の幅寸法Ｌ１（図６Ｂ参照）よりも大きい（図１０参照）。また、第２開口２２３１の長手方向の幅寸法は、保持部材２４の左右方向の幅寸法Ｌ１よりも小さく、かつ、一対の第２固定部２４３の根元間の幅寸法Ｌ２（図６Ｂ参照）よりも大きい（図１０参照）。さらに、第３開口２２３２の長手方向の幅寸法は、一対の第２固定部２４３の根元間の幅寸法Ｌ２よりも小さく、かつ、一対の第１支持部２４０の幅寸法Ｌ３（図７Ｂ参照）よりも大きい（図１０参照）。
【００３４】
次に、照明器具１０の組立作業のうち、保持部材２４を用いてＬＥＤモジュール２０を支持部材２２に取り付ける作業の作業手順について、図８〜図１３を参照して詳細に説明する。まず、組立作業を行う作業者は、ＬＥＤモジュール２０の基板２０１の長手方向の両端に保持部材２４を１つずつ取り付ける。より詳細には、作業者は、一対の第１支持部２４０のそれぞれの後面２４００と、第２支持部２４１の前面（平坦面２４１２）との間の隙間Ｓ１に基板２０１の長手方向の端部を差し込む。
【００３５】
続いて、作業者は、基板２０１に取り付けた保持部材２４の一対の第２固定部２４３を、取付板２２０の前方から開口部２２３の第１開口２２３０に挿通する（図９参照）。それから、作業者は、取付板２２０の前面に沿って、第１開口２２３０から第２開口２２３１に向かう向きに保持部材２４を平行移動させる。保持部材２４が平行移動すれば、一対の第１固定部２４２と一対の第２固定部２４３の間の隙間Ｓ２に、取付板２２０の一部（第２開口２２３１の長手方向の外に位置する部分）が挟み込まれる（図８、図１０及び図１１参照）。そして、作業者が、第３開口２２３２の長手方向に沿った端に第２支持部２４１の下端が当たる位置まで保持部材２４を平行移動させると、一対の引掛部２４８が第１開口２２３０に嵌まり込む。その結果、保持部材２４は、取付板２２０の長手方向に沿った平行移動が制限されるので、開口部２２３に対して抜け止めされる（図１０参照）。上述のようにして、作業者は、ＬＥＤモジュール２０を支持部材２２に取り付けることができる。なお、作業者は、第１支持部２４０の上端部分を前方へ引き上げて一対の引掛部２４８を第１開口２２３０から抜き出すことにより、保持部材２４を取付板２２０に対して平行移動させ、ＬＥＤモジュール２０を支持部材２２（の取付板２２０）から取り外すことができる。
【００３６】
また、作業者は、ＬＥＤモジュール２０を支持部材２２に取り付けた後、隣合う２つのＬＥＤモジュール２０を第２電線２０３によって電気的に接続する。具体的には、作業者は、第２電線２０３の一端を、一方のＬＥＤモジュール２０の入力コネクタ２０２に電気的に接続し、第２電線２０３の他端を、他方のＬＥＤモジュール２０の入力コネクタ２０２に電気的に接続する。さらに、作業者は、２つの保持部材２４の第２電線支持部２４５のそれぞれに第２電線２０３を保持させる（図１１参照）。このように第２電線２０３が保持部材２４の第２電線支持部２４５に支持されることにより、第２電線２０３がＬＥＤ２００から放射される光束を遮るような不具合の発生を防ぐことができる。
【００３７】
さらに、作業者は、電源装置４の一対の出力端子（プラス極の出力端子とマイナス極の出力端子）のそれぞれに２本の第１電線２０４のうちの対応する第１電線２０４を電気的に接続する。そして、作業者は、これら２本の第１電線２０４のそれぞれを、保持部材２４の第３電線支持部２４６に支持させ（図１２参照）、取付板２２０の長手方向の両端に設けられている２つの開口部２２３のそれぞれから取付板２２０の前面側に引き出す（図５参照）。このとき、作業者は、取付板２２０の長手方向の両端に支持されている２つ保持部材２４のそれぞれの第１電線支持部２４４に第１電線２０４を支持させる（図１３参照）。それから、作業者は、上端のＬＥＤモジュール２０の上側の端部に実装されている入力コネクタ２０２（２０２Ａ）に一方の第１電線２０４を電気的に接続する。最後に、作業者は、下端のＬＥＤモジュール２０の下側の端部に実装されている入力コネクタ２０２（２０２Ａ）に他方の第１電線２０４を電気的に接続する。以上のようにして、電源装置４と４つのＬＥＤモジュール２０との電気的に接続作業が完了する。
【００３８】
上述のように照明器具１０は、光源部（ＬＥＤモジュール２０）と、ＬＥＤモジュール２０を支持する支持部材２２と、保持部材２４と、支持部材２２を保持する器具本体６とを備えている。ＬＥＤモジュール２０は、長尺の基板２０１と、基板２０１の表面（前面）に実装される固体光源（ＬＥＤ２００）とを有している。支持部材２２は、前面で基板２０１の裏面（後面）と接触する取付板２２０を有している。保持部材２４は、取付板２２０との間で基板２０１を保持するように構成されている。さらに、保持部材２４は、基板２０１の前面に対向する第１支持部２４０と、基板２０１の後面に対向する第２支持部２４１とを有する。さらにまた、保持部材２４は、取付板２２０の前面に対向する第１固定部２４２と、取付板２２０に設けられている開口部２２３を通して取付板２２０の後面に対向する第２固定部２４３とを有する。
【００３９】
照明器具１０が上述のように構成されれば、保持部材２４を用いて、ＬＥＤモジュール２０を支持部材２２に支持させることができる。しかも、保持部材２４は、第１支持部２４０と第２支持部２４１の間に基板２０１を挟んでＬＥＤモジュール２０を保持し、第１固定部２４２と第２固定部２４３の間に取付板２２０を挟んで支持部材２２に取り付けられる。そのため、照明器具１０は、ドライバなどの工具を使用せずに、支持部材２２に対してＬＥＤモジュール２０が取り付けられるから、組立作業の簡素化を図ることができる。
【００４０】
また、照明器具１０において、ＬＥＤモジュール２０に電力を供給する電源装置４と、開口部２２３に挿通されて電源装置４とＬＥＤモジュール２０を電気的に接続する第１電線２０４とを備えることが好ましい。保持部材２４は、第１電線２０４を支持する第１電線支持部２４４を有することが好ましい。
【００４１】
照明器具１０が上述のように構成されれば、第１電線２０４を保持部材２４の第１電線支持部２４４に支持させることにより、開口部２２３の縁に第１電線２０４が接触して被覆に傷が付くような不具合の発生を防ぐことができる。
【００４２】
さらに、照明器具１０において、複数のＬＥＤモジュール２０と、基板２０１の前面側で複数のＬＥＤモジュール２０同士を電気的に接続する第２電線２０３とを備えることが好ましい。保持部材２４は、第２電線２０３を支持する第２電線支持部２４５を有することが好ましい。
【００４３】
照明器具１０が上述のように構成されれば、第２電線２０３を保持部材２４の第２電線支持部２４５に支持させることにより、第２電線２０３がＬＥＤ２００から放射される光束を遮るような不具合の発生を防ぐことができる。
【００４４】
また、照明器具１０において、保持部材２４は、取付板２２０の後面側において第１電線２０４を支持する第３電線支持部２４６を有することが好ましい。
【００４５】
照明器具１０が上述のように構成されれば、第１電線２０４を保持部材２４の第３電線支持部２４６に支持させることにより、電源装置４と第１電線２０４との接続箇所に加わる引張力を低減することができる。
【００４６】
さらに、照明器具１０において、保持部材２４は、第１支持部２４０と第２支持部２４１との間の隙間Ｓ１に基板２０１が差し込まれる際に、基板２０１を隙間Ｓ１に案内する案内部２４７を有することが好ましい。
【００４７】
照明器具１０が上述のように構成されれば、第１支持部２４０と第２支持部２４１との間の隙間Ｓ１に基板２０１が差し込まれる際の作業性の向上を図ることができる。
【符号の説明】
【００４８】
４  電源装置
６  器具本体
１０  照明器具
２０  ＬＥＤモジュール（光源部）
２２  支持部材
２４  保持部材
２００  ＬＥＤ（固体光源）
２０１  基板
２０３  第２電線
２０４  第１電線
２２０  取付板
２２３  開口部
２４０  第１支持部
２４１  第２支持部
２４２  第１固定部
２４３  第２固定部
２４４  第１電線支持部
２４５  第２電線支持部
２４６  第３電線支持部
２４７  案内部
【図１】
0006643680.tif 000002
【図２】
0006643680.tif 000003
【図３】
0006643680.tif 000004
【図４】
0006643680.tif 000005
【図５】
0006643680.tif 000006
【図６】
0006643680.tif 000007
【図７】
0006643680.tif 000008
【図８】
0006643680.tif 000009
【図９】
0006643680.tif 000010
【図１０】
0006643680.tif 000011
【図１１】
0006643680.tif 000012
【図１２】
0006643680.tif 000013
【図１３】
0006643680.tif 000014